Podtech/llm-jp-corpus-v4-ja_patent huggingface dataset:
(57)【要約】【課題】商品データベースの内容が変更された結果が、組版に自動もしくは半自動で反映される。【解決手段】、商品ID単位に、その商品データを組版処理する機能と、その組版結果をその商品ID単位に保存管理することにより、商品データベースの内容が変更された結果が、自動もしくは半自動で組版に反映される。【選択図】図1
2005267659.tif 000002
【特許請求の範囲】
【請求項１】
商品ID単位に、その商品データを組版処理する機能と、その組版結果をその商品ID単位に保存管理する機能の、両方を有するデータベースシステム。
【請求項２】
同じ商品データを複数の組版処理を行い、複数の組版結果を保存管理する機能を有する商品データベースシステム。
【発明の詳細な説明】
【技術分野】
【０００１】
本発明は、組版結果を商品ID単位でデータベース化する技術に関する。
【背景技術】
【０００２】
商品ID単位に、商品画像、商品スペック、商品ロゴマークを管理する商品データベースにおいて、その利用目的に、カタログ、パンフレット、チラシ、提案書などの印刷物、あるいは、プリントアウト物があり、これらの大半は、組版と呼ばれる見やすい体裁に加工されて出力される。例えば、左上から3×6cmに商品画像を配置、その下に、品番、品名、寸法、重量、価格を、それぞれ、指定の順序、位置、書体、文字サイズ、色、で配置される。このような目的で商品データベースに格納された商品データを出力するとき、商品id単位に格納されている商品画像、商品スペックを個別に出力し、出力後に、出力媒体別に上記のような組版処理が行われている。
【０００３】
しかし、出力のたびに、その都度、組版処理を行うので、出力時の負荷が高く、また、出力の仕組み、あるいは、出力後に処理する仕組みに、組版処理機能を有していないと、組版ができず、また、同じ商品で、同じ組版処理を何度も行うケースがあるという欠点があった。
【０００４】
この改善策として、商品ID単位に、商品画像、商品スペック、商品ロゴマーク、などに加えて、組版処理された結果をデータベース化するケースも存在する。が、このケースは、例えば、カタログ制作目的のDTPデータから商品ID単位の組版されたデータを抽出して、再度商品データベースに商品ID単位に格納している。つまり、上記のように個別の出力媒体別の組版処理が一度、あるいは何度も行われた結果を、データベース化しているだけであり、商品データベースの内容が変更された結果が、組版に反映しないという致命的問題が生じた。
【発明の開示】
【発明が解決しようとする課題】
【０００５】
解決しようとする問題点は、商品データベースの内容が変更された結果が、組版に反映されない点である。
【０００６】
本発明は、商品ID単位に、その商品データを組版処理する機能と、その組版結果をその商品ID単位に保存管理することにより、商品データベースの内容が変更された結果が、組版に反映されることを最も主要な特徴とする。
【発明の効果】
【０００７】
商品ID単位に管理されている商品画像、商品スペック、商品ロゴマーク、などを、組版処理エンジンによって組版処理した結果を、再度、その商品データベースに商品ID単位に格納する。商品データが変更されれば、自動、もしくは、半自動で組版処理エンジンにより処理を行うことで、変更された組版結果を商品ID単位に格納することができ、また、必要に応じて、複数の組版結果を商品ID単位にデータベース化することも可能である。なお、この組版機能付き商品データベースでは、商品データを出力後の処理フローに組版機能を有していないケースでも、出力物に高品位な組版結果を反映することが可能である。
【発明を実施するための最良の形態】
【０００８】
以下に、本発明の一実施形態を説明する。
【実施例１】
【０００９】
本実施形態では、図１に組版処理機能とその組版処理結果を商品データベースに格納する機能を有する商品データベースシステムを示す。図２に図１に示されている商品データベース001内の商品データ構造を詳しく示す。図３に図１に示されている組版処理結果002を詳しく示す。図4に商品スペック101もしくは画像データ102に変更があった場合のデータフローを示す。図5に組版処理結果003に変更があった場合のデータフローを示す。
【００１０】
図1を参照しながら、本発明の動作概念を説明する。まず、自動もしくは半自動で図2における出力データ104を、組版処理機能002に商品ID単位で出力することにより作成された図3の組版処理結果003を、商品データベース001内に商品ID単位で格納する。その結果商品データベース001内の商品データは図2のようなデータ構造を持つ。
【００１１】
次に、商品データベース001内の出力データ104が変更された場合を、図4を参照しながら説明する。商品スペック101もしくは画像データ102に変更がなかった場合は、格納済みの組版処理結果003を出力する。商品スペック101もしくは画像データ102に変更がなされた場合は、商品ID単位で出力データ104を組版処理機能002へ出力し、組版処理結果003を作成する。作成された組版処理結果003は商品ID単位で商品データベース001内に格納される。
【００１２】
次に、組版処理結果003のデータが変更された場合を、図5を参照しながら説明する。組版処理結果003のデータが変更されなかった場合は、出力された組版処理結果003は商品データベース001内に格納されない。組版処理結果003のデータが変更された場合は、変更後の組版処理結果003が商品データベース001内に格納され、変更内容が商品スペック101もしくは画像データ102に反映される。
【００１３】
図4図5のように、商品データベースまたは組版結果が変更された場合においても、本発明の場合、自動もしくは半自動で、その変更結果が双方に反映することとなり、商品データベースと組版結果の整合性が保たれることとなる。
【図面の簡単な説明】
【００１４】
【図１】組版処理機能とその組版処理結果を商品データベースに格納する機能を有する商品データベースシステムを示した説明図である。
【図２】商品データベース内の商品データ構造を示した説明図である。
【図３】組版処理結果の例を示した説明図である。
【図４】商品データベース内にデータ変更があった場合のフローを示した説明図である。
【図５】組版結果を変更した場合のフローを示した説明図である。
【符号の説明】
【００１５】
001    商品データベース
002    組版処理機能
003    組版処理結果
101    商品スペック
102    画像データ
103    出力データ
【図１】
2005267659.tif 000003
【図２】
2005267659.tif 000004
【図３】
2005267659.tif 000005
【図４】
2005267659.tif 000006
【図５】
2005267659.tif 000007
(57)【要約】【課題】  アプリケーション側から物理的に破損したディスク領域を誤って使用することにより、アプリケーションの処理中断を回避する。【解決手段】  ファイル操作でファイルの情報を書き込む領域が不良セクタのため異常終了した場合に、このディレクトリ名を不良セクタのためファイル操作が異常終了したことが明示できるディレクトリ名に変更し、あらためてアプリケーションの使用するファイルを格納するディレクトリを作成し、不良セクタをアプリケーションプログラムから使用しない手段を設けた。【選択図】図１
2005267207.tif 000002
【特許請求の範囲】
【請求項１】
ディレクトリ下にあるファイルの情報管理領域が物理的に破損したディスク領域に重なった場合の回避手段を設け、アプリケーションプログラムが物理的に破損したディスク領域を回避できるようにした固定ディスク装置のファイル制御におけるプログラム制御方法。
【発明の詳細な説明】
【技術分野】
【０００１】
本発明は、固定ディスク装置のファイル制御におけるプログラム制御方法に関する。
【背景技術】
【０００２】
従来技術は、図２に示すように、アプリケーションプログラムが使用しているファイルの使用する固定ディスク装置上のディスク領域が物理的に破損した場合、該当する領域を回避する手段をもっているが、ファイルの情報を管理しているディスク領域が物理的に破損した場合はアプリケーションプログラムは処理を継続することが出来ず、また、物理的に破損したディスク領域を回避することが出来なかった。更に、固定ディスク装置の持つ不良セクタの代替え機能を使用すると、アプリケーションプログラムが使用しているファイルが破壊されアプリケーションプログラムが動作しなくなることがあった。
【０００３】
【特許文献１】特願２００３−３０２１４
【発明の開示】
【発明が解決しようとする課題】
【０００４】
本発明の目的は、アプリケーション側から物理的に破損したディスク領域を誤って使用することによるアプリケーションの処理中断を回避することである。
【課題を解決するための手段】
【０００５】
上記目的は、ファイルの情報を管理しているディスク領域が物理的に破損した場合には、アプリケーション側で物理的に破損したディスク領域を意識することなく該当する領域を回避できる機能をアプリケーションプログラムに追加することにより達成される。
【発明の効果】
【０００６】
本発明によれば、不良セクタをアプリケーションプログラムから使用しないようにすることが可能となるため、アプリケーションプログラムの信頼性が向上し、固定ディスク装置が持つ不良セクタの代替えを実施してもアプリケーションプログラムの動作は損なわれない。
【発明を実施するための最良の形態】
【０００７】
本発明の実施例を、図１と図３を用いて説明する。図３に示すように、アプリケーションプログラムは、アプリケーションプログラムが実行されているオペレーティングシステム（以下ＯＳと略す）のファイル入出力関数を介して、固定ディスク装置上のファイルを読み出しまたは書き込み（以下操作と略す）する。ファイル入出力関数は、ＯＳが動作している制御装置のデータ入出力を介して固定ディスク装置上のファイルを操作するが、固定ディスク装置上のファイルの情報を管理しているディスク領域に物理的に損傷した領域（以下不良セクタと略す）があるとファイル入出力関数はアプリケーションプログラムに対し異常終了を報告する。
【０００８】
本発明はルートディレクトリより下の階層にあるサブディレクトリにあるアプリケーションプログラムが使用しているファイルの情報を管理しているディスク領域に不良セクタが含まれていることに着目し、図１に示すように、ファイル操作でファイルＣを操作時に、ファイルＣの情報を書き込む領域が不良セクタであるとファイル操作は異常終了するため、このディレクトリ名を不良セクタのためファイル操作が異常終了したことが明示できるディレクトリ名に変更し、あらためてアプリケーションの使用するファイルを格納するディレクトリを作成することにより、不良セクタをアプリケーションプログラムから使用しないようにすることができる。
【０００９】
本発明によれば、アプリケーションプログラムはファイル操作の異常終了により不良セクタを回避することが可能となり、また、同一ディレクトリにあるファイルの復帰動作を行うことにより、正常動作を継続することが出来る。更に固定ディスク装置の持つ不良セクタの代替え機能を実施しても、不良セクタはアプリケーションプログラムが使用しない領域にあるため、アプリケーションプログラムは正常動作を継続できる。また、本発明はＯＳに依存しない形態であるため、制御基板を直接制御する機能を持たないＯＳに対しても有効である。
【図面の簡単な説明】
【００１０】
【図１】本発明の実施例を示す説明図である。
【図２】従来技術を示す説明図である。
【図３】ファイル操作の概要を示す説明図である。
【図１】
2005267207.tif 000003
【図２】
2005267207.tif 000004
【図３】
2005267207.tif 000005
(57)【要約】【課題】  自動販売機に設置した装着台に安定した状態で取り付けることのできる半割状の小容量用ボトル型商品見本を提供する。【課題の解決手段】  自動販売機の装着台１１の装着孔１２に対して取り付ける半割状の小容量用ボトル型商品見本１は、弾性を有する合成樹脂からなり、下端部分には、装着孔１２の縁部に係合する係合溝３と、この係合溝３の上方に位置して装着台１１の上面における装着孔１２の外側に当接する左右一対の係止片４，５とを設けたものである。【選択図】    図３
2005267203.tif 000002
【特許請求の範囲】
【請求項１】
自動販売機の商品見本装着孔を設けてなる商品見本装着台に、前記商品見本装着孔に対して取り付ける半割状の小容量用ボトル型商品見本であって、弾性を有する合成樹脂からなり、下端部分には、前記商品見本装着孔の縁部に係合する係合溝と、この係合溝の上方に位置して前記商品見本装着台の上面における前記商品見本装着孔の外側に当接する複数の係止片とを設けたことを特徴とする自動販売機用商品見本。
【発明の詳細な説明】
【技術分野】
【０００１】
本発明は、自動販売機の商品見本装着孔（以下単に装着孔という）を設けてなる商品見本装着台（以下単に装着台という）に、前記装着孔に対して取り付ける半割状の商品見本に関し、特に、取付部分である底面が小径の小容量用ボトル型商品見本に関する。なお、本明細書では、自動販売機で提供される商品の容量を３分類し、１００ｍｌ程度を小容量、２５０ｍｌ程度を中容量、５００ｍｌ程度を大容量という。
【背景技術】
【０００２】
従来の自動販売機における装着台としては、商品見本の展示効果を上げるために、内部に照明器具を配置した構成のものが一般的になっているが、商品見本を装着する面が水平なものと、傾斜しているものとがあり、いずれの構成にしても、これら装着面に照明用透孔を兼ねる装着孔を設けている。装着面が水平な装着台における装着孔は、汎用性を確保するために同一径に形成され、商品見本の装着にあたっては、商品見本の下端部分に設けた係合溝を、前記装着孔の縁部に係合するものである。近年、商品見本としては、経済性を考慮して、商品形状に倣った円筒状のものよりも半割状のものが多くなっているが、この場合の係合溝も円筒状のものと同様に形成されている。
【特許文献１】特開２００１−２２９４４４号公報
【発明の開示】
【発明が解決しようとする課題】
【０００３】
ところで、一般に、装着孔の直径は約４．５ｃｍであるが、半割状ボトル型商品見本における底面の最大径部分は、大容量用見本及び中容量見本では約７ｃｍ、小容量見本では約４．５ｃｍである。したがって、半割状の小容量用ボトル型商品見本の場合には、底面の径が小さいうえに、ほぼ半円形の底面となるので、係止溝による装着孔との係合が不安定なものとなる。
【０００４】
このため、半割状の小容量用ボトル型商品見本では、自動販売機の扉を開けた際の風圧の影響で設置一致がずれたり、脱落してしまうという不都合を生じている。なお、缶型やコップ型の商品見本の場合には、容量の大小にかかわらず、底面の最大径は装着孔の径に比べて十分大きいので、このような不都合は生じないものである。本発明は、この不都合を解消して、簡単な構造で、安定した状態で装着孔への取付ができる半割状の小容量用ボトル型商品見本を提供することを目的とする。
【課題を解決するための手段】
【０００５】
この目的を達成するため、本発明の請求項１に係る自動販売機用商品見本は、自動販売機の装着台の装着孔に対して取り付ける半割状の小容量用ボトル型商品見本であって、弾性を有する合成樹脂からなり、下端部分には、装着孔の縁部に係合する係合溝と、この係合溝の上方に位置して前記装着台上面における装着孔の外側に当接する複数の係止片とを設けたものである。
【発明の効果】
【０００６】
本発明の請求項１に係る自動販売機用の半割り状の小容量用ボトル型商品見本によれば、簡単な構成で商品見本装着台の装着孔に安定した状態で取り付けられるとともに、脱着動作も容易であるという効果を奏する。
【発明を実施するための最良の形態】
【０００７】
以下、本発明の好適な実施形態を添付図面に基づいて説明する。ここにおいて、図１は半割状の小容量用ボトル型商品見本の斜視図、図２は装着台の装着孔を示す平面図、図３は商品見本を装着台に取り付けた状態の正面図である。
【０００８】
はじめに、装着台について説明する。図２及び図３に示すように、装着台１１は、自動販売機（図示せず）内の商品見本展示部（図示せず）に配置して固定するもので、上面には、内部に配置した照明器具（図示せず）の光を通過させる照明用透孔を兼ねる複数の装着孔１２を設けている。そして、この装着孔１２の数は、前記商品見本展示部に対応する装着台１１の長さ及び自動販売機で販売する商品の種類数に応じて決定される。また、前記装着孔１２の形状は、缶型商品見本にも適用し得るよう凹入部が形成されているが、この凹入部は本発明との関係では必要のないものである。
【０００９】
次に、装着孔１２に取り付ける自動販売機用商品見本である半割状の小容量用ボトル型商品見本（以下半割状商品見本という）について図１及び図３に基づいて説明する。半割状商品見本１は、１００ｍｌという小容量のボトル型中空成形商品容器を前後に半割状にした形状で光透過性を有する合成樹脂製であり、底面における最大径が約４．５ｃｍである。そして、図示してはいないが、商品容器のデザインにならった図柄や文字を表示している。
【００１０】
図１に示すように、半割状商品見本１の底面には嵌入部２を形成し、下端部分には、装着孔１２の縁部に係合する係合溝３と、この係合溝３の上方に位置して装着台３１上面における前記装着孔１２の外側に当接する左右一対の三角形状の係止片４，５とを設けている。
【００１１】
続いて、装着台１１の装着孔１２に対する半割状商品見本１の取付動作を説明する。半割状商品見本１の下部を摘んで縮径するようになし、その嵌入部２を装着孔１２内に嵌入し、縮径状態を解除して弾性復帰させ、図３に示すように、係合溝３を前記装着孔１２の縁部に係合すればよいものである。この状態で、各係止片４，５の下端が装着台１１の上面における装着孔１２の縁部外側に当接するので、前記半割状商品見本１は安定した状態で前記装着孔１２に取り付けられる。
【００１２】
なお、本発明は上述の実施形態に限定されるものではなく、例えば、係止片４，５は、左右一対に限らず、正面中央にも設けるなど、３個以上設けてもよい。また、その形状も三角形に限定されず、装着台１１上面における装着孔１２の外側に一定長に及んで当接できればよいもので、四角形でもよいものである。
【図面の簡単な説明】
【００１３】
【図１】半割状の小容量用ボトル型商品見本の斜視図。
【図２】装着台の装着孔を示す平面図。
【図３】商品見本を装着台に取り付けた状態の正面図。
【符号の説明】
【００１４】
１      半割状商品見本
２      嵌入部
３      係合溝
４，５      係止片
１１      装着台
１２      装着孔
【図１】
2005267203.tif 000003
【図２】
2005267203.tif 000004
【図３】
2005267203.tif 000005
(57)【要約】      （修正有）【課題】  「郷土史」を郷土の現代生活のなかに活かす教育指導機関をつくること。郷土創職、起業化の企画、研究、情報システムが確立すること。郷土創職、起業化の企画を実施実現する。【解決手段】  郷土史家、郷土創職、起業化技能者養成通信教育講座を発明開講し、通信で教育します。講座の修了技能修得者は「日本郷土史家協会」『学術会員』に登録し企画、研究、情報センターを確立します。郷土創職、起業化の企画立案プロジェクトを結成し立案組織を形成します。企画プロジェクトが立案した「企画案権」活用に関する、レンタル制、成功利率配分制、共同実施、出資比率方法などをシステム化し、宣伝活動を容易にします。上記の教育、情報、企画立案、案件活用事業などの諸活動制度をシステム化し組織化して課題を解決しています。村おこし活動の課題の解決と、社会的に貢献できる生き甲斐ある仕事として成功できる。【選択図】  図４
2005267582.tif 000002
【特許請求の範囲】
【請求項１】
郷土史調査編纂、郷土創職、起業者養成をペーパー教材、映像、電子ＣＤなど実例教材による通信教育講座による教育事業営業システム。
【請求項２】
請求項１通信教育を修了した技能修得者は「日本郷土史家協会」の学術会員に登録し、会員制度により組織化し情報、人材活用をＰＣネットなどにより行う事業営業システム。
【請求項３】
郷土史調査制作、創職、起業化など企画立案した、企画案権をレンタル制などにより活用する事業管理と営業システム。
【発明の詳細な説明】
【技術分野】
【０００１】  本発明は、郷土史家、郷土創職、起業家を養成する通信教育講座の教材構成。技能修得者の情報活用制度に関すること。郷土創職、起業企画立案事業の代行、企画案権のレンタル制活用方法などの実施活動に関するシステムです。
【背景技術】
【０００２】  従来の郷土史家は「郷土史」編纂書籍刊行を主とし、郷土史の講師や観光案内などを行っています。本発明のような郷土史家、郷土創職、起業、事業家を養成する通信、面接教育講座はありません。また、技能者の活用のシステムもありません。
【発明が解決しようとする課題】
【０００３】  第一の課題は、郷土史家、郷土創職、起業家を養成する教育システムの確立です。第二の課題は技能を修得した能力者と情報を活用するに必要な組織とシステムの確立。第三は郷土創職、起業、企画の立案者組織の確立。そして企画案の実施管理事業、活用制度利益配分や事業創業協力システムを確立し普及促進することです。
【課題を解決するための手段】
【０００４】  上記、第一の課題は（１）郷土史調査と編纂技能（２）郷土創職、起業案の企画技能の教科書、映像などを作成し通信、面接、能力審査による教育を実施します。
【０００５】  第二の課題は技能修得者を「日本郷土史家協会」に登録し会員制とし会員相互に情報活用ができる組織を作ります。また、この組織は、技能を必要とする教育機関などへの人材紹介の役割機能も発揮できます。
【０００６】  第三は郷土創職、起業、企画の立案者の活動推進組織「日本郷土史家協会」を会員制で確立管理運営を行います。
【０００７】  「日本郷土史家協会」が管理し企画立案した郷土創職、起業案の実施に関する、企画案の使用権はレンタル制、株主、売却などの条件と方法。資金出資者、組織人事、団体民間企業、運営方法などの選定方法などをシステム化して解決します
【発明を実施するための最良の形態】
【０００８】  発明の実施の形態については、図面を参照して説明します。
図１は、郷土史家、創職、起業化、技能養成通信面接教育の主な教材の説明図です。
Ａ．は郵便，パソコン，電信電話等による通信教育のシステムで、主教材の目録と教育目的教材の概略の説明表です。▲１▼▲２▼は郷土史調査、編纂の基本になる目録図表で、パソコン反復使用し調査進行チェックや編纂、制作ができます。
▲３▼は郷土創職、起業化技能者養成の教材で実例を教材にし、必要により面接教育も実施します。
Ｂ．は面接教育の概略説明図です。▲１▼▲２▼▲３▼の教育科目を行います
図２は、実例教材の一例で、茄子形菓子の郷土創職、起業化企画の説明図です。
Ａ．の茄子形菓子の呼称は『良縁』（良縁をなす）と言います。
Ｂ．の茄子形菓子の呼称は『子宝』（子なす）・子をなす、と言います。
この企画は「那須温泉」の『土産』菓子で、◎第一の着眼点は☆地名・那須…を茄子とし、造形化。さらに茄子の同音語…「為せば成る為さねば成らぬ……」の格言の知名度を利用し茄子を…成す…の意に置き換えて『菓子名』を付けています。
Ａ．菓子名『良縁』    （良縁茄子）（良縁成す）
Ｂ．菓子名『子宝』    （子茄子）（子成す）（仲良し）など
図３は、日本郷土史家協会の技能者登録会員組織とその活動システムの主な内容説明図です。Ａは、郷土史家講座の修了生の郷土史家登録。Ｂは郷土史刊行の実績者の審査と郷土史家登録。Ｃは登録学術会員の活動と協会情報の活用図です。
図４は、日本郷土史家協会の、創職、起業化立案と活用組織構成の説明図です。
Ａ．は、企画立案のプロジェクトチーム。Ｂ．は企画協力関係機関組織図です。
Ｃ．は企画案の事業化営業部の営業システム内容図です。
【発明の効果】
【０００９】  本発明は上述の通りです。
【００１０】  本発明は、郷土史を掘り起こし郷土発展のタネを発見し、創職、起業化を実現することです。それには知識が必要でその人達を通信、面接などにより養成します。
そして、より広く深く多角的に研究企画立案ができる情報タンクとして「日本郷土史家協会」の会員組織を活用します。
こうして完成した郷土創職、起業化案の実施と運営管理は、郷土の利益を最優先に決定し郷土史活用の実を上げ、発明の効果が得られます。
【図面の簡単な説明】
【図１】郷土史家、郷土創職、起業化技能者養成通信教育の主な教材の説明図です。
【図２】郷土創職、起業化、案の那須温泉『土産』菓子の説明図。
【図３】協会講座終了生と審査合格者の学術会員登録。協会資料タンク活用図。
【図４】企画立案した、創職、起業化、案の活用・使用権と営業システム説明図。
【符号の説明】
図２の、Ａ．Ｂ．茄子形の菓子。
【図１】
2005267582.tif 000003
【図２】
2005267582.tif 000004
【図３】
2005267582.tif 000005
【図４】
2005267582.tif 000006
(57)【要約】      （修正有）【課題】パソコン増設環境を向上させること。【解決手段】パソコンの一つの空きスロットにまとめる事が出来る形状をした増設機器、増設機器拡張用ボード接続部からコードで引っ張り、空いたスロット、たとえばＣＤ−ＲＯＭなどを入れるところから増設機器部がでるようになった仕組みの増設機器拡張用ボード、とそれらの組み合わせにより、数の限られた空きスロットにパソコンの使用者の必要に応じた増設が出来るようになる。それらをまとめて固定するために固定装置を作る。【選択図】図２
2005267588.tif 000002
【特許請求の範囲】
【請求項１】
パソコンの空きスロットから周辺機器等との接続部を出すことができる仕組みを持つインターフェース拡張用ボードの周辺機器等との接続部をまとめる事ができる固定装置。
【請求項２】
パソコンの一つの空きスロットに周辺機器等との接続部をまとめる事ができる形状をしたインターフェース拡張用ボードの周辺機器等との接続部をまとめる事ができる固定装置。
【請求項３】
パソコンの一つの空きスロットに周辺機器等との接続部をまとめる事ができる周辺機器等との接続機器をまとめる事ができる固定装置。
【請求項４】
パソコンの一つの空きスロットに複数の増設機器をまとめて出す事が出来る仕組みを持つ増設機器拡張用ボードの増設機器部をまとめる事ができる固定装置。
【請求項５】
パソコンの一つの空きスロットに複数まとめる事が出来る増設機器をまとめる事ができる固定装置。
【請求項６】
請求項１、２、３、４、５記載の固定装置での、その対象を組み合わせ、一つの空きスロットにまとめて固定する事が出来る固定装置。
【発明の詳細な説明】
【技術分野】
【０００１】本発明は、インターフェース拡張用ボードと周辺機器との接続部（特願２００４−３４２２０記載）や、パソコンの一つの空きスロットに複数まとめる事が出来る形状をした増設機器、増設機器部が出るようにした拡張用ボード、をパソコンの空きスロットから出し、それらを固定装置等でそこに固定できるようにする事により、パソコンの増設環境を向上させるものである。
【背景技術】
【０００２】パソコンの一つの空きスロットに複数まとめる事が出来る形状をした増設機器、増設機器拡張用ボードをパソコンに取り付ける部分から増設機器部をコードでつなぎ、パソコンの前面にある空きスロットから増設機器部が出るようにした拡張用ボード、それらと（特願２００４−３４２２０）等をそこに固定する為に使用する固定装置がなかった。
【発明が解決しようとする課題】
【０００３】従来の技術記載の不便を解消する。
【課題を解決するための手段】
【０００４】発明が解決しようとする課題を解決する固定装置を作る。
【発明を実施するための最良の形態】
【０００５】発明は、パソコン増設の環境を向上させるもので、それを図面について説明すれば、パソコンの一つの空きスロットに複数まとめる事が出来る形状をした増設機器、増設機器拡張用ボードをパソコンに取り付ける部分（図１−１）から増設機器部（図１−３）をコード（図１−２）でつなぎ、パソコンの前面にある空きスロットから増設機器部（図１−３）が出るようにした拡張用ボード、それらと（特願２００４−３４２２０）等をそこに固定する為に、固定装置（図２）を使用する。固定装置として、いろいろな種類、又はいくつかの上記の増設機器拡張用ボード、増設機器、（特願２００４−３４２２０）等をパソコンに付けた時に、同じスロットにそれらをまとめる事ができる形状（図２）の物を利用できるようにする。固定装置は、空きスロットに取り付ける、主にネジでとめる際に使用する部分、たとえば（図２−１）で示される例のように、ネジでとめる際に使用する穴を空けた部分と増設機器部（図１−３）、増設機器、（特願２００４−３４２２０）等の取り付け部分（図２−２）から構成される。固定装置について同じスロットにまとめる事ができる形状とは、増設機器部（図１−３）、まとめる事が出来る形状をした増設機器、（特願２００４−３４２２０）等をはめ込む穴（図２−２）と使用していない部分に付けておく蓋（図２−３）から構成されるものである。
【発明の効果】
（１）同じスロットに複数まとめる事が出来る形状をした増設機器、増設機器拡張用ボード、（特願２００４−３４２２０）等をパソコンの使用者が自分の必要に応じた組み合わせで増設したものをまとめて固定しやしくなる。
（２）それにより、空きスロットを有効に活用する。
（３）（特願２００４−３４２２０）の効果、その解決する問題を補う。
【図面の簡単な説明】
【図１】（特願２００４−３４２２０）の拡張用ボード、増設機器拡張用ボード
【符号の説明】
１  （特願２００４−３４２２０）の拡張用ボード、増設機器拡張用ボード取り付け部分
２  コード
３  （特願２００４−３４２２０）の周辺機器との接続部、増設機器拡張用ボードの増設機器部
【図２】
固定装置
【符号の説明】
１  本体取り付け部分
２  （特願２００４−３４２２０）の周辺機器との接続部、増設機器部等取り付け部分
３  蓋
【図１】
2005267588.tif 000003
【図２】
2005267588.tif 000004
【手続補正書】
【提出日】平成16年5月20日(2004.5.20)
【手続補正１】
【補正対象書類名】明細書
【補正対象項目名】０００３
【補正方法】変更
【補正の内容】
【０００３】空きスロットを有効に活用する、一つの空きスロットにおいて、必要に応じた増設の組み合わせを可能にする、また、それにより増設に掛かる費用を削減する特願  ２００４−３４２２０、特願  ２００４−１１９６３７、を固定する装置がなく、不便であった。
【手続補正２】
【補正対象書類名】明細書
【補正対象項目名】０００４
【補正方法】変更
【補正の内容】
【０００４】空きスロットを有効に活用する、一つの空きスロットにおいて、必要に応じた増設の組み合わせを可能にする、また、それにより増設に掛かる費用を削減する特願  ２００４−３４２２０、特願  ２００４−１１９６３７、を固定する装置を作る。
(57)【要約】【課題】ノートパソコン上扉を開けるとラッチが収納し、閉める時ラッチが出てくる、ラッチ可動を可能とする【解決手段】ラッチ断面を涙型にしラッチ下部自重により、ノートパソコン使用時、則ち、上扉の開け始めから９０度にてラッチを画面と平行にし、以後１８０度開いた状態でも平行を保つようにした。【選択図】図２
2005267590.tif 000002
【特許請求の範囲】
【請求項１】
ノートパソコンのＬＣＤ画面を閉じる時に画面ロック用ラッチがＬＣＤ画面に対して垂直に起きあがり、キーボード側本体に固定でき、ノートパソコン使用時はＬＣＤ画面に対し画面ロック用ラッチが収納となることを特徴とする画面ロック用ラッチ
【発明の詳細な説明】
【技術分野】
【０００１】  本発明は、ノートパソコンＬＣＤ画面の画面固定用ラッチに関するものである。
【背景技術】
【０００２】  ノートパソコンＬＣＤ画面のラッチは固定式が実用に供されている。
実用のラッチはＬＣＤ画面に突起部として飛び出してはいたが実用上十分であった。【０００３】  しかし、ＬＣＤ画面に突起部として飛び出しているより飛び出していない方がよい、図１は固定式のラッチ外観図であり、１はラッチ、２はＬＣＤ画面枠、３はＬＣＤ画面上扉筐体、４はＬＣＤ画面である。しかしながら、ラッチ突起部があると、一時的にその場所を離れるとき、手先、袖等にラッチが引っかかりノートパソコンが机等から落下、高価なパソコンに大きなダメージを与えるという欠点があった。【０００４】  ノートパソコン使用時、この欠点は大きな障害である。落下衝撃により具体的にはノートパソコン使用不能になるという問題があった。【０００５】  この改善策としてノートパソコン使用時、ラッチ突起部を収納する方法が良い、図２はこの方法による実装形態を示すための説明図であって、１〜４は１図と同じであり、５はラッチ支えブロックで、本図はＬＣＤ画面上扉を９０度以上開いた状態であり、ラッチ１はＬＣＤ画面枠２に折りたたまれ収納される。
【発明の開示】
【発明が解決しようとする課題】
【０００６】  解決しようとする問題点は、固定式ラッチを収納式ラッチに変更する点である。
【課題を解決するための手段】
【０００７】  本発明は、ラッチ先端に錘を付けシャフトを介して保持される。シャフトの太さはラッチ部シャフトの穴径より小さくラッチはシャフトに固定しない。ＬＣＤ画面を持ち上げた時、ラッチは可動する。則ち、ＬＣＤ画面が９０度部開いた状態でラッチ部分がＬＣＤ画面に平行となり、以後、１８０度開いた状態でもラッチはＬＣＤ画面と平行のまま突起部を出さないことを最も主要な特徴とする。
【発明の効果】
【０００８】  本発明のラッチ機構は、ノートパソコン使用時、使用角度はパソコン本体キーボード側が水平に置かれたとき、９０度以上の角度で使用される。９０度にてラッチは画面と平行になり、且つ、画面枠と平行に収納すればラッチ突起部が無くなり、デザイン的にもスッキリするという利点がある。
【発明を実施するための最良の形態】
【０００９】  固定式ラッチを収納方式にするという目的を、最小の部品点数で、ＬＣＤ画面の厚みを損なわず実現した。【００１０】  図３は本発明の実施例の組み立て図であり、１はラッチ、５はラッチ支えブロック、６はシャフトで点線のように組みあがる。【００１１】  図４では、図３の実施例組み立てブロックをＬＣＤ画面側に取り付ける時、各角度でのラッチの動きを説明している。【００１２】  又、図５はラッチ形状であるが、Ａのラッチ根本側（シャフト穴側）が薄く、Ｂのラッチ先端側が厚く先を反円型にし、先端側に重心があるようにする。【００１３】  又、その先端は図５のように片側面、ＬＣＤ画面を閉めるときの手前側（本体外側）は平らに、内側を膨らませる、又、Ｂ部先端は涙型にし、その形状により収納時、ＬＣＤ画面側がスッキリするのと、ラッチが内側に折りたたまれないように出来る、手前側（本体外側）にラッチの垂線力が働くようにする。そして、ラッチ上部、ラッチ受けブロックにはストッパー部（図３参照）を設けＬＣＤ画面と正９０度よりラッチを開かないようにしておく。【００１４】  図６はラッチを受けるキーボード側本体のラッチ受け穴で、２方向に４５度位の滑り傾斜を設けておく、傾斜を付けることによりＬＣＤ画面ラッチ角度が正９０度でなくてもラッチ受け穴の中に滑り入って行くようにする。
【産業上の利用可能性】
【００１５】  ラッチを可動式にし、ラッチがＬＣＤ画面に平行になる事によりノートパソコン使用時に引っかかりのない、不要な突起物を出さないスッキリしたノートパソコンの用途に適用出来る。
【図面の簡単な説明】
【００１６】
【図１】従来の固定式ラッチを示した説明図である
【図２】収納式ラッチを示した説明図である。（実施例１）
【図３】収納式ラッチの組立方法を示した説明図である。（実施例２）
【図４】収納式ラッチの角度変化を示した説明図である。（実施例３）
【図５】収納式ラッチのラッチ部形状を示した説明図である。（実施例４）
【図６】収納式ラッチを受けるキーボード側本体の受け穴を示した説明図である。（実施例５）
【符号の説明】
Ａ  ラッチの根本側（シャフト穴側）
Ｂ  ラッチの先端側
１  ラッチ
２  ＬＣＤ画面枠
３  ＬＣＤ画面上扉箱体
４  ＬＣＤ画面
５  ラッチ支えブロック
６  シャフト
【図１】
2005267590.tif 000003
【図２】
2005267590.tif 000004
【図３】
2005267590.tif 000005
【図４】
2005267590.tif 000006
【図５】
2005267590.tif 000007
【図６】
2005267590.tif 000008
(57)【要約】      （修正有）【課題】パソコン増設環境を向上させる。【解決手段】パソコンの一つの空きスロットにまとめる事が出来る形状をした増設機器、増設機器拡張用ボード接続部からコードで引っ張り、空いたスロット、たとえばＣＤ−ＲＯＭなどを入れるところから増設機器部がでるようになった仕組みの増設機器拡張用ボードを作る。【選択図】図１
2005267587.tif 000002
【特許請求の範囲】
【請求項１】
パソコンの一つの空きスロットに複数の増設機器をまとめて出す事が出来る仕組みを持つ増設機器拡張用ボード。
【請求項２】
パソコンの一つの空きスロットに複数まとめる事が出来る増設機器。
【発明の詳細な説明】
【技術分野】
【０００１】本発明は、インターフェース拡張用ボードと周辺機器との接続部（特願２００４−３４２２０記載）や、パソコンの一つの空きスロットに複数まとめる事が出来る形状をした増設機器、増設機器部が出るようにした拡張用ボード、をパソコンの空きスロットから出し、それらを固定装置等でそこに固定できるようにする事により、パソコンの増設環境を向上させるものである。
【背景技術】
【０００２】パソコンの前面に使用者個々の必要に応じた増設をするには、不便があった。
たとえば、特別な装置を取り付けるとなるとそれ一つで一つ空きスロットが埋まってしまう。増設機器等の組み合わせを選択する余地が少ない。余分な機能等の付加により価格が高い物になってしまう。
【発明が解決しようとする課題】
【０００３】空きスロットを有効に活用する。一つの空きスロットにおいて、必要に応じた増設の組み合わせを可能にする。また、それにより増設に掛かる費用を削減する。
【課題を解決するための手段】
【０００４】パソコンの一つの空きスロットにいろいろな、まとめる事が出来る形状をした増設機器や増設機器拡張用ボードを作る。パソコンの使用者の必要に応じた（特願２００４−３４２２０）とそれらの組み合わせで増設を可能にする。
【発明を実施するための最良の形態】
【０００５】本発明は、パソコン増設の環境を向上させるもので、それを図面について説明すれば、増設機器拡張用ボードをパソコンに取り付ける部分（図１−１）から増設機器部（図１−３）をコード（図１−２）でつなぎ、パソコンの前面にある空きスロットから増設機器部（図１−３）が出るようにした拡張用ボード、パソコンの一つの空きスロットに複数まとめる事が出来る形状をした増設機器を作る。
また、それらと（特願２００４−３４２２０）等をそこに固定する。その為に、固定装置（図２）を使用すると便利になる。固定装置として、いろいろな種類、又はいくつかの本発明の増設機器拡張用ボード、増設機器、（特願２００４−３４２２０）等をパソコンに付けた時に、同じスロットにそれらをまとめる事ができる形状（図２）の物を利用できるようにする。固定装置は、空きスロットに取り付ける、主にネジでとめる際に使用する部分、たとえば（図２−１）で示される例のように、ネジでとめる際に使用する穴を空けた部分と増設機器部（図１−３）、増設機器、（特願２００４−３４２２０）等の取り付け部分（図２−２）から構成される。固定装置について同じスロットにまとめる事ができる形状とは、増設機器部（図１−３）、まとめる事が出来る形状をした増設機器、（特願２００４−３４２２０）等をはめ込む穴（図２−２）と使用していない部分に付けておく蓋（図２−３）から構成されるものである。
【発明の効果】
（１）同じスロットに複数まとめる事が出来る形状をした増設機器、増設機器拡張用ボード、（特願２００４−３４２２０）等をパソコンの使用者が自分の必要に応じた組み合わせで増設する事が出来るようになる。
（２）それにより、空きスロットを有効に活用する。
（３）（特願２００４−３４２２０）の効果、その解決する問題を補う。
（４）増設に掛かる費用を削減する。
【図面の簡単な説明】
【図１】増設機器拡張用ボード
【符号の説明】
１  増設機器拡張用ボード取り付け部分
２  コード
３  増設機器部
【図２】
固定装置
【符号の説明】
１  本体取り付け部分
２  増設機器部等取り付け部分
３  蓋
【図１】
2005267587.tif 000003
【図２】
2005267587.tif 000004
【手続補正書】
【提出日】平成16年5月20日(2004.5.20)
【手続補正１】
【補正対象書類名】明細書
【補正対象項目名】０００４
【補正方法】変更
【補正の内容】
【０００４】パソコンの一つの空きスロットにいろいろな、まとめる事が出来る形状をした増設機器や増設機器拡張用ボードを作る。パソコンの使用者の必要に応じ、（特願２００４−３４２２０）や上記のような増設機器、また、それらを組み合わせる事が出来るようにする事で、そのような増設環境を向上させる。
(57)【要約】      （修正有）【課題】即席麺の新商品や人気商品を手早く食べられるようにする即席麺提供販売システムの提供。【解決手段】インターネットのホームページなどで、全国各地の即席麺に対する最新情報や意見感想を集め、直ちに人気商品及び新商品を取り寄せる。そして多くの消費者に、それを実際に店舗で食事させる。それにより、各種別の人気即席麺ランキングなどを発表し、即席麺の普及と消費拡大に貢献することを目的としてシステム化された即席麺専門店であり、宣伝店である。それは、お客が店内のカップ麺専用の展示棚より希望の商品を選び、店内カウンターに取り付けられた即席カップ麺専用給湯蛇口(熱湯が飛び散らないように、カップ内の麺との距離を一定に保たせるように工夫された安全装置付き)から、誰でもが安全に且つスムーズにお湯を注ぎ、いつでも手軽に食事が出来るようにする。【選択図】図９
2005267509.tif 000002
【特許請求の範囲】
【請求項１】
インターネットのホームページなどで全国各地の即席麺に対する最新情報や意見感想を集め、直ちに人気商品及び新商品を取り寄せる。そして、多くの消費者にそれを実際に店舗で食事をさせる。それにより、各種別の人気即席麺ランキングなどを発表したりして、即席麺の普及と消費拡大に貢献することを目的としてシステム化された即席麺専門店であり宣伝店である。まず、お客は、店内に入ると独自製作の即席麺展示棚[図１]より希望の商品を選び、店内カウンターに備え付け[図８]の給湯蛇口(安全装置付き)[図３]より熱湯をカップ内に注ぎ専用フタ[図５]をのせタイマーで時間を計り３〜５分後に食事を行う。食後は、指定されたゴミ捨て容器にカップを捨てる。それは洗ってリサイクル用として業者に回収させる。以上がシステム化された即席麺専門店舗である。
【発明の詳細な説明】
【技術分野】
【０００１】
本発明は、即席麺の最新情報を全国の消費者とインターネットでつなぎ、情報交換をしながら、どこよりも早く新商品や人気商品を取り寄せて、店内の即席麺専用の展示棚[図１]から希望の商品を選び、店内カウンターに取り付けられた即席カップ麺専用給湯蛇口(熱湯が飛び散らないように、カップ内の麺との距離を一定に保たせるように工夫された安全装置付き)[図３]から、誰でも安全に且つスムーズにお湯を注ぎ、専用の押し蓋[図５]をかぶせてタイマーをセットする。いつでも手軽に食事ができる即席麺のシステム化された専門店であり宣伝店である。
【背景技術】
【０００２】
今や、国民食と呼ばれる即席麺は、年間５５億食を越えるほどに成長している。お湯を注いで３〜５分で簡単に食べられるカップ麺は爆発的な売れ行きを見せている。メーカー
各社は、原材料の品質改良や加工技術の向上をはかり、高品質でアイデアに優れた１，３５０種類近くが販売されているが、新商品や地域限定商品等、食べたくても食べられない一般の商店で取り扱っていない即席麺が、たくさんある。しかも、コンビニやスーパーでは、食べる場所がない。そこで、即席麺の情報収集と情報の発信をして、新商品や人気商品をどこよりも早く取り寄せ、いつでも手早く食事ができるシステム化された即席麺の専門店を企画した。
【発明の開示】
【発明が解決しようとする課題】
【０００３】
今すぐにでも食べたい全国の新商品や人気商品等がすぐに手に入らないこと、様々な即席麺の情報が少ないこと、即席麺を手早く食べることができる専門店がないことである。
【課題を解決するための手段】
【０００４】
本発明は、消費者のニーズに応えて、常に最新の即席麺情報をインターネットや情報誌・店頭等で知らせる。又、即席麺の新商品や人気商品はすぐに取り寄せて、即席麺専門の店で食べさせることが出来る。
【発明の効果】
【０００５】
本発明の即席麺提供販売店システムは、消費者とメーカーをつなぐ即席麺の情報基地として、どこよりも早く、新商品や人気即席麺が食事できる店として、多種多様な即席麺の普及と消費拡大に貢献できる。
【発明を実施するための最良の形態】
【０００６】
人気のある商品や新商品を店内の特製展示棚[図１]に展示してお客に選んでもらう。選ばれたカップ麺の蓋を取りスープ・かやく・具等を入れて、お客に手渡す。お客は、カウンター備え付けのオリジナル安全装置をつけた蛇口[図３]より熱湯をカップ内に注ぐ。お客は、オリジナル蓋[図５]をのせ用意されたタイマーを３〜５分間にセットして出来上がりを待ち、用意されているお好みのトッピングをして食事を行う。その後、お客はセルフサービスで指定の場所にカップを戻す。カップは、水洗いをして収納し、整理一括して回収業者にリサイクル用として回収させる。
【実施例１】
【０００７】
図６、図７、図９、図１０は店舗名のロゴマークと湯注麺専伝店の店舗デザイン例です。
【産業上の利用可能性】
【０００８】
独自に『お湯を注いで食べる麺』ということで『湯注麺』として、又、システム店舗を『湯注麺専伝店』と名付けた。チェーン店の開業については、統一された企業イメージ、アイデア等で開業設備予算も少なくてすみ、一人でも手軽に開業することが出来る。調理が簡単なので仕込みがいらない。その上、冷凍食品や缶詰のインスタント食品等を用意することで食材のロスがない。
【図面の簡単な説明】
【０００９】
【図１】即席カップ麺の展示棚、１セットで商品個数が３０個である。
【図２】展示棚１スペースの正面と側面図
【図３】即席カップ麺専用蛇口カバー
【図４】排水口カバー
【図５】即席カップ麺専用押し蓋、アクリル板で製作、タイマー乗せがある。
【図６】店舗平面図(例)店舗の広さは最小で３坪以下となる。
【図７】店舗断面図(例)
【図８】カウンター上部の安全カバーを取り付けた蛇口
【図９】店舗イメージパース
【図１０】湯注専伝店のロゴマーク
【符号の説明】
【００１０】
１．  熱湯蛇口
２．  給湯安全装置
３．  接続ソケット
４．  給湯口
５．  排水口カバー
６．  給湯安全ピン
７．  排水口
８．  安全ピン止め
９．  排水口カバー
１０．安全ピン止め
１１．カップ押さえ蓋
１２．タイマー
１３．カウンター
１４．冷蔵庫
１５．商品展示棚
１６．配膳台
１７．カップ収納
１８．商品展示棚
１９．物入れ
２０．カウンター
２１．目線
２２．上部カウンター
２３．熱湯蛇口
２４．下部カウンター
【図１】
2005267509.tif 000003
【図２】
2005267509.tif 000004
【図３】
2005267509.tif 000005
【図４】
2005267509.tif 000006
【図５】
2005267509.tif 000007
【図６】
2005267509.tif 000008
【図７】
2005267509.tif 000009
【図８】
2005267509.tif 000010
【図９】
2005267509.tif 000011
【図１０】
2005267509.tif 000012
(57)【要約】【課題】この発明は  有害物質の発生しない提案パネルの製造方法に関するものである。【解決手段】厚紙（１）にリブを加えるため山型（２）に折曲げこのリブを加えた（２）厚紙を縦．横交互に貼合せる。片面はく離紙付接着面とし、環境上安全な多目的パネルを製造する。【選択図】図２
2005196093.tif 000002
【特許請求の範囲】
【請求項１】
厚紙を山型に折曲げてＸ，Ｙ方向に貼合せ、片面を接着面とした無公害な提案ボード。
【発明の詳細な説明】
【発明の詳細な説明】
この発明は厚紙を山型に折曲げ、リブを加えてパネル化したものである。
従来のパネルは、石油化学製品でリサイクルが難しく有害物質を発生し環境問題となります。
本発明は、その問題をまとめて簡単な方法で解決したものである。
以下それを説明すると，
（イ）厚紙にリブを加えるため山型に折曲げる。
（ロ）その折曲げた厚紙を縦．横交互に貼合せる。
（ハ）次に両面に厚紙を圧着する。（片面ノリ．はく離紙付）
こうすれば無公害で軽くて丈夫な多目的パネルの製造ができる。
本発明はこのように簡単な方法で環境問題を解決したものである。
【図面の簡単な説明】
【図１】本発明の平面図
【図２】本発明の一部断面図
【符号の説明】
１は両面厚紙    ２は厚紙を山型に折曲げ縦．横交互に貼合せた切断部
３は片面ノリ．はくり離紙付
【図１】
2005196093.tif 000003
【図２】
2005196093.tif 000004
(57)【要約】【課題】  パソコンのキーボードを膝の上に置いて使用する場合、キーボードは滑るため安定せず使用しにくい。これを解消するために、表面が滑りにくい物で出来ている板を提供する。又、冬など寒い時には、キーボードの冷たさが膝に伝わり不快になるということを解消するために、断熱性のある物で出来ている板を提供する。【解決の手段】  芯２を骨にして滑りにくい物、又は、断熱性のある物１を貼る又は、張ることによって滑りにくく使用できるようにした。若しくは、冷たさが伝わりにくいようにした。【選択図】  図１
2005196721.tif 000002
【特許請求の範囲】
【請求項１】
表面が滑りにくい物で出来ている、パソコンのキーボードの下に敷くための板。
【請求項２】
断熱性のある物で出来ている、パソコンのキーボードの下に敷くための板。
【発明の詳細な説明】
【発明の詳細な説明】
【技術分野】
【０００１】本発明は、パソコンのキーボードを膝の上に置いて使用する場合にキーボードの下に敷き、膝の上のキーボードがずれにくいようにしたものである。又、キーボードの冷たさが膝に伝わりにくいようにしたものである。
【背景技術】
【０００２】従来は、パソコンのキーボードを膝の上に置いて使用する場合、キーボードの下に敷く滑りにくい物で出来た板はなかった。又、断熱性のある物で出来た板はなかった。
【発明が解決しようとする課題】
【０００３】パソコンのキーボードを膝の上に置いて使用する場合、キーボードを膝の上に直に置くとキーボードは滑るため安定せず使用しにくいという難点があった。又、冬など寒い時には、キーボードの冷たさが膝に伝わり不快になるという難点があった。
【課題を解決するための手段】
【０００４】滑りにくい物、又は、断熱性のある物３に成型、加工、又は、表面処理を施すこと。
芯２を骨にして滑りにくい物、又は、断熱性のある物１を貼る又は、張ること。
これらの手段によって滑りにくく使用できるようにした。又、冷たさが伝わりにくいようにした。
【発明を実施するための最良の形態】
【０００５】滑りにくい物、又は、断熱性のある物３に成型、加工、又は、表面処理を施す。若しくは、芯２を骨にして滑りにくい物、又は、断熱性のある物１を貼る又は、張る。
【発明の効果】
【０００６】パソコンのキーボードを膝の上に置いて使用する場合にキーボードの下に敷くことで、膝の上のキーボードがずれずに安定して使用することがでる。しかも、キーボードを床へ落とす心配もなくなる。又、キーボードの冷たさが膝へ伝わりにくいので快適に使用することができる。
【図面の簡単な説明】
【図１】本発明の骨が有る場合の断面図である。
【図２】本発明の骨が無い場合の断面図である。
【符号の説明】
１  滑りにくい物、又は、断熱性のある物
２  芯
３  滑りにくい物、又は、断熱性のある物
【図１】
2005196721.tif 000003
【図２】
2005196721.tif 000004